(57)【特許請求の範囲】
【請求項１】
表面に隠蔽情報複写記入部を有する隠蔽情報複写用紙上に、折り兼切り取り線を介して記入控え用紙片と隠蔽用紙片とが連接された貼付用紙が貼付された隠蔽情報伝達媒体であって、
前記隠蔽用紙片が前記隠蔽情報複写記入部を被覆する状態で重ね合わされ、且つ前記隠蔽用紙片裏面の一側辺部分で前記隠蔽情報複写用紙上面に接着され、また前記隠蔽用紙片裏面と前記隠蔽情報複写記入部との間に感圧複写構造を有し、且つ前記隠蔽情報複写用紙上に前記記入控え用紙片と隠蔽用紙片とが少なくとも前記一側辺部分を除いた部分で再剥離可能な状態で貼付されていることを特徴とする隠蔽情報伝達媒体。
【請求項２】
前記折り兼切り取り線が、ミシン目により形成されていることを特徴とする請求項１記載の隠蔽情報伝達媒体。
【請求項３】
請求項１に記載の隠蔽情報伝達媒体の使用方法であって、
記入者は、前記記入控え用紙片を前記隠蔽情報複写用紙から剥離させ且つ前記折り兼切り取り線により前記隠蔽用紙片上に折り重ね、前記隠蔽用紙片の上面に隠蔽したい情報を記入することで同時に記入事項を前記隠蔽用紙片裏面から前記隠蔽情報複写用紙の隠蔽情報複写記入部に複写し、次に前記折り兼切り取り線から記入控え用紙片を切り取ることで記入者の控えとし、一方隠蔽情報複写用紙の受取人は、隠蔽情報複写用紙から隠蔽用紙片を剥離することで隠蔽情報複写記入部に複写された情報を見ること特徴とする隠蔽情報伝達媒体の使用方法。
【発明の詳細な説明】
【０００１】
【発明の属する技術分野】
本発明は、第三者に知られては困る暗証番号等の秘密記入情報を隠蔽化させて伝達でき、記入者が記入情報の控えを取っておくことができる隠蔽情報伝達媒体とその使用方法に関する。
【０００２】
【従来の技術】
従来から、例えばカード申込書には、カードの照合用番号である暗証番号を記入するための暗証番号記入欄が設けられ、申込者が暗証番号記入欄に暗証番号を記入した後に、暗証番号記入欄上に隠蔽用ラベルを貼付することで暗証番号の漏洩防止を図る技術が知られている。
これらの隠蔽ラベルには、種々の仕様があるが、いずれにしても暗証番号記入欄に記入された暗証番号を第三者から見ることができないように被覆して一時的に隠蔽化し、情報を伝達すべき正当な受取人が被覆部分を剥離することで暗証番号記入欄に記入された暗証番号を見ることができるようにしてある。
そして、通常、カード申込書と隠蔽用ラベルとは、それぞれ別々に用意されて管理され、１つカード申込書に対してどの隠蔽用ラベルを使用してもよいようにしている。
【０００３】
しかしながら、不正行為を行う者が、暗証番号が記載されたカード申込書から隠蔽用ラベルを剥離して暗証番号を盗み見た後、別の隠蔽用ラベルを暗証番号記入欄に貼付した場合には、第三者に暗証番号を盗み見られたことがわからないまま暗証番号の漏洩が行われる危険性があるため、カード申込書と隠蔽用ラベルの管理を十分行う必要があり、常に在庫枚数の確認を行って１枚でも紛失していないか等の管理を十分に行う必要もあり手間がかかるという問題がある。
【０００４】
従って、簡単に別の隠蔽用ラベルを使用できないようにするため、１つのカード申込書毎に１つのダブルタック紙仕様からなる隠蔽用ラベルを貼付しておき、暗証番号記入欄に暗証番号を記入した後に、ダブルタック紙の隠蔽用ラベルを剥離し、暗証番号記入欄上を被覆して貼り付けることで記入した暗証番号記入欄を隠蔽化する形態も考えられている。
しかしながら、これらダブルタック紙仕様からなる隠蔽用ラベルは、ラベルの厚さが大きすぎるため、カード申込書をレーザープリンターで印字する際に隠蔽用ラベルがプリンター内で引っかかる危険性が高く、プリンター適正がないという問題がある。
【０００５】
また、カード申込書の記入者は、カード申込後に暗証番号を忘れる危険性もあるが、従来の隠蔽用ラベルには、記入した暗証番号の控えを自動的に複写できないので、忘れた場合のことを考慮して、わざわざ別の紙に書き写す等しなければならず面倒であるという問題もある。
【０００６】
【発明が解決しようとする課題】
本発明の課題は、カード申込書等の隠蔽情報複写用紙と、隠蔽したい情報を覆い隠す隠蔽ラベル等の貼付用紙とを別々に管理する手間がかからず、またプリンター適正もあり、しかも記入した隠蔽情報の控えを簡単に取ることができる隠蔽情報伝達媒体とその使用方法を提供するものである。
【０００７】
【課題を解決するための手段】
本発明の隠蔽情報伝達媒体は、表面に隠蔽情報複写記入部を有する隠蔽情報複写用紙上に、折り兼切り取り線を介して記入控え用紙片と隠蔽用紙片とが連接された貼付用紙が貼付された隠蔽情報伝達媒体であって、
前記隠蔽用紙片が前記隠蔽情報複写記入部を被覆する状態で重ね合わされ、且つ前記隠蔽用紙片裏面の一側辺部分で前記隠蔽情報複写用紙上面に接着され、また前記隠蔽用紙片裏面と前記隠蔽情報複写記入部との間に感圧複写構造を有し、且つ前記隠蔽情報複写用紙上に前記記入控え用紙片と隠蔽用紙片とが少なくとも前記一側辺部分を除いた部分で再剥離可能な状態で貼付されていることを特徴とする。
【０００８】
また、折り兼切り取り線が、ミシン目により形成されていることを特徴とするものである。
【０００９】
次に、本発明の隠蔽情報伝達媒体の使用方法は、前記した本発明の隠蔽情報伝達媒体を使用するものであって、
記入者は、前記記入控え用紙片を前記隠蔽情報複写用紙から剥離させ且つ前記折り兼切り取り線により前記隠蔽用紙片上に折り重ね、前記隠蔽用紙片の上面に隠蔽したい情報を記入することで同時に記入事項を前記隠蔽用紙片裏面から前記隠蔽情報複写用紙の隠蔽情報複写記入部に複写し、次に前記折り兼切り取り線から記入控え用紙片を切り取ることで記入者の控えとし、一方隠蔽情報複写用紙の受取人は、隠蔽情報複写用紙から隠蔽用紙片を剥離することで隠蔽情報複写記入部に複写された情報を見ること特徴とするものである。
【００１０】
【発明の実施の形態】
以下、本発明の実施の形態を図面に基づいて詳細に説明する。
図１は、本発明に使用する隠蔽情報複写用紙の一例の平面図、図２は、本発明による隠蔽情報伝達媒体の実施形態の平面図、図３は、図２のＡ−Ａ線断面図、図４は、本発明に使用する貼付用紙の一例の裏面側平面図、図５は、本発明による隠蔽情報伝達媒体を用いて隠蔽したい情報を記入する際の状態を示す断面図、図６は、本発明による隠蔽情報伝達媒体を用いて隠蔽したい情報を記入した後、記入控え用紙片を切り取った状態を示す断面図、図７は、本発明による隠蔽情報伝達媒体を用いて隠蔽したい情報を記入した後、隠蔽用紙片を剥離した状態を示す断面図、図８は、本発明による隠蔽情報伝達媒体を用いて隠蔽したい情報を記入した後、隠蔽情報複写用紙から隠蔽用紙片を剥離した状態を示す平面図、図９は、隠蔽用紙片と隠蔽情報複写用紙との感圧複写構造に感圧自己発色層を用いた状態を示す断面図、図１０は、隠蔽用紙片と隠蔽情報複写用紙との感圧複写構造に転写インキ層を用いた状態を示す断面図である。
【００１１】
本発明による隠蔽情報伝達媒体１は、図１に示す、例えば生命保険契約兼生保カード申込書等の暗証番号記入欄のような秘密情報を記入するための隠蔽情報複写記入部４を有する隠蔽情報複写用紙２に、図２に示す、隠蔽情報複写用紙２の上側に少なくともこの隠蔽情報複写記入部４を被覆する状態で貼付された貼付用紙３とから構成されるものである。
【００１２】
貼付用紙３は、図３，図４に示すように折り兼切り取り線５を介して記入控え用紙片６と隠蔽用紙片７とが連接されていて、折り兼切り取り線５から隠蔽用紙片７上に記入控え用紙片６を折り返した際に、略同じ横幅寸法になるような大きさを有する形状にしてある。
折り兼切り取り線５は、使用に際して、折り返しや切り取りを行いやすいようにミシン目により形成することが好ましい。
また、貼付用紙３は、貼付用紙３の隠蔽用紙片７の部分が、少なくとも隠蔽情報複写用紙２の隠蔽情報複写記入部４上を被覆する状態で重ね合わされ、隠蔽用紙片７の一側辺部分で隠蔽情報複写用紙２の上面に接着剤８で接着されている。
【００１３】
隠蔽用紙片７と隠蔽情報複写用紙２の接着剤８による接着部は、折り兼切り取り線５に沿った側の一側辺部分で剥離困難に接着することが好ましい。これは、隠蔽情報を記入する際に、記入控え用紙片６を指で摘まんで、折り兼切り取り線５から隠蔽用紙片７上に折り返す時に、折り返す勢いで隠蔽用紙片７も一緒に剥離しないようにするためである。
但し、使用者が、折り返す時の力加減を調整するように配慮することで、隠蔽用紙片７の裏面の上側辺部分または下側辺部分に接着部を設けるようにしてもよく、必ずしも折り兼切り取り線５に沿った一側辺部分で接着しなくてもよい。
【００１４】
記入控え用紙片６と隠蔽用紙片７の裏面側には、図４に示すように、各々の紙片の折り兼切り取り線５側の側辺部分を除いた他の３つの側辺部分に再剥離可能な接着剤９ａ，９ｂが塗布され、一時的に隠蔽情報複写用紙２上に接着状態を保っている。
隠蔽用紙片７の裏面側に塗布されている再剥離可能な接着剤９ｂは、できるだけ隠蔽情報複写用紙２の隠蔽情報複写記入部４と重ならない位置に塗布することが好ましい。
また、記入控え用紙片６の裏面側に塗布されている再剥離可能な接着剤９ａも、折り兼切り取り線５から記入控え用紙片６を隠蔽用紙片７上に折り返した時に、隠蔽用紙片７の裏面側に塗布されている再剥離可能な接着剤９ｂの位置と、上下方向において重なる位置に設けることが好ましい。
【００１５】
従って、隠蔽用紙片７を隠蔽情報複写記入部４に重ねた時に、少なくとも隠蔽情報複写記入部４の外側に再剥離可能な接着剤９ｂが位置できるような大きさの隠蔽用紙片７を備えることが、記入に際して再剥離可能な接着剤９ｂによる複写不良を防止させることからも好ましい。
なお、再剥離可能な接着剤９ａ，９ｂは、記入控え用紙片６と隠蔽用紙片７の裏面側に塗布する代わりに、隠蔽情報複写用紙２の上面に塗布するようにしてもよい。
この再剥離可能な接着剤９ａ，９ｂは、例えばアクリル系樹脂やポリ塩化ビニル酢酸ビニル等の接着主剤の選択や、粘着主剤に添加されるシリカ、でんぷん、樹脂ビーズ等の粘着主剤に対する添加量をコントロールすることで、調整することができる。
また、接着剤８と再剥離可能な接着剤９ａ，９ｂの接着力を等しくして、隠蔽情報複写用紙２の上面の接着剤９ａ，９ｂの相当する位置に、剥離処理を施すことでも接着力の調整が容易になる。
【００１６】
また、隠蔽用紙片７の裏面と隠蔽情報複写用紙２の隠蔽情報複写記入部４との間には、感圧複写構造を有している。
この感圧複写構造は、種々の公知の感圧複写技術から任意のものを選択して用いればよいが、図３に示した例として、隠蔽用紙片７の裏面に発色剤をマイクロカプセル化した発色剤マイクロカプセル層１０を形成し、また隠蔽情報複写用紙２の表面の隠蔽情報複写記入部４には、顕色剤層１１を形成することで隠蔽用紙片７上からの加圧により、発色剤マイクロカプセル層１０のマイクロカプセルが破壊されて発色剤が顕色剤に混ざることで加圧部分が発色するものである。
【００１７】
またこの他の感圧複写構造としては、図９に示すような、隠蔽情報複写用紙２の表面の隠蔽情報複写記入部４に、発色剤マイクロカプセル層１０と顕色剤層１１とを予め積層した自己発色層１２を形成してもよい。
更に、他の仕様としては、図１０に示すように、隠蔽用紙片７の裏面にカーボン層などの転写インキ層１３を形成することで、加圧により転写インキ層１３の一部を隠蔽情報複写記入部４に転写させることで記入情報の複写を行うようにしてもよく、上記以外の複写手段を用いてもよい。
尚、隠蔽用紙片７は、その一側辺部分で隠蔽情報複写用紙２の上面に接着剤８で接着されているが、隠蔽用紙片７を部分的に剥離した後、隠蔽用紙片７が邪魔になる場合には、接着剤８塗布部分の近傍に切り取りミシン目を形成しておいてもよい。
【００１８】
次に、本発明の隠蔽情報伝達媒体の使用方法を図５〜図８に基づいて以下に説明する。
まず、記入者は、図５に示すように、記入控え用紙片６の左側縁部を指で摘みながら徐々に隠蔽情報複写用紙２から剥離させ、折り兼切り取り線５により隠蔽用紙片７上に記入控え用紙片６を折り重ねる。
そして、隠蔽用紙片７上に折り重ねた記入控え用紙片６の上から暗証番号等の秘密情報つまり隠蔽して伝達したい情報（以下、隠蔽情報という）を筆記具１４で圧力を加えながら記入する。
この筆記具１４での記入により、隠蔽情報が記入控え用紙片６裏面に記入されると同時に、隠蔽用紙片７の裏面と隠蔽情報複写用紙２の表面の隠蔽情報複写記入部４との間に設けられた感圧複写構造により、隠蔽情報複写記入部４に隠蔽情報が複写される。
【００１９】
次に、記入者は、図６に示すように、折り兼切り取り線５から記入控え用紙片６を切り取ることでこれを記入者の控えとして持ち帰り、一方隠蔽情報複写用紙２を申込先の受取人に提出する。
この際、隠蔽情報複写用紙の隠蔽情報複写記入部４には、隠蔽用紙片７が貼付されているので、隠蔽情報複写記入部４に複写された暗証番号等の隠蔽情報の内容を見ることはできない。
【００２０】
そして、例えば、申込先の内部で隠蔽情報を見ることが許可された担当者の手元に届けられた後、その担当者により図７，図８に示すように隠蔽情報複写用紙２から隠蔽用紙片７を部分的に剥離することで、初めて隠蔽情報複写記入部４に複写された隠蔽情報１２を見ることが可能となり記入情報が隠蔽化されて伝達が達成されるものである。
【００２１】
【発明の効果】
以上説明したように、本発明の隠蔽情報伝達媒体は、あらかじめカード申込書等の隠蔽情報複写用紙に、隠蔽したい情報を覆い隠す隠蔽ラベル等の貼付用紙が貼付されているので、別々に管理する手間がかからず不正使用等を防止する効果があり、また隠蔽情報複写用紙に１枚の貼付用紙しか貼付されてないのでプリンター適正もあり、しかも記入した隠蔽情報の控えを簡単に取ることができるのでわざわざ別の紙に書き写す手間もかからないので便利である。
【００２２】
また、折り兼切り取り線が、ミシン目により形成することにより、使用に際して、貼付用紙の記入控え用紙片を簡単に折り返したり、切り取ったりすることができ扱いやすく便利である。
【００２３】
そして、本発明の隠蔽情報伝達媒体の使用方法によれば、記入者が隠蔽情報を記入したその場で記入控えを持ち帰ることができるので、記入した内容を忘れても記入控えですぐに確認を行うことができ、うっかり記入情報を忘れた場合でも安心である。
【００２４】
【図面の簡単な説明】
【図１】本発明に使用する隠蔽情報複写用紙の一例の平面図である。
【図２】本発明による隠蔽情報伝達媒体の実施形態の平面図である。
【図３】図２のＡ−Ａ線断面図である。
【図４】本発明に使用する貼付用紙の一例の裏面側平面図である。
【図５】本発明による隠蔽情報伝達媒体を用いて隠蔽したい情報を記入する際の状態を示す断面図である。
【図６】本発明による隠蔽情報伝達媒体を用いて隠蔽したい情報を記入した後、記入控え用紙片を切り取った状態を示す断面図である。
【図７】本発明による隠蔽情報伝達媒体を用いて隠蔽したい情報を記入した後、隠蔽用紙片を剥離した状態を示す断面図である。
【図８】本発明による隠蔽情報伝達媒体を用いて隠蔽したい情報を記入した後、隠蔽情報複写用紙から隠蔽用紙片を剥離した状態を示す平面図である。
【図９】隠蔽用紙片と隠蔽情報複写用紙との感圧複写構造に感圧自己発色層を用いた状態を示す断面図である。
【図１０】隠蔽用紙片と隠蔽情報複写用紙との感圧複写構造に転写インキ層を用いた状態を示す断面図である。
【符号の説明】
１  隠蔽情報伝達媒体
２  隠蔽情報複写用紙
３  貼付用紙
４  隠蔽情報複写記入部
５  折り兼切り取り線
６  記入控え用紙
７  隠蔽用紙片
８  接着剤
９ａ，９ｂ  剥離可能な接着剤
１０  発色剤マイクロカプセル層
１１  顕色剤層
１２  自己発色層
１３  転写インキ層
【図１】
0004270684.tif 000002
【図２】
0004270684.tif 000003
【図３】
0004270684.tif 000004
【図４】
0004270684.tif 000005
【図５】
0004270684.tif 000006
【図６】
0004270684.tif 000007
【図７】
0004270684.tif 000008
【図８】
0004270684.tif 000009
【図９】
0004270684.tif 000010
【図１０】
0004270684.tif 000011